(57)【要約】【課題】容積が異なる２種類以上の電池を収納可能にした電池収納部に容積が小さい電池を装填して形成される隙間を積極的に且つ有効に活用して、記録媒体等を省スペースで安全に保管すると共にそれぞれの電池を保持するための切り替える機構が簡素で操作性が向上する電池を収納する装置を提供する。【解決手段】形状、又は、容積が異なる２種類以上の電池１の容積が大きい電池１ａ、又は、容積が小さい電池１ｂを収納可能にした電池収納部２と、上記電池収納部２に上記容積が小さい電池１ｂを装填して形成される隙間３と、上記隙間３に装填する電池アダプタ４とからなる。【選択図】      図１
2005005212.tif 000002
【特許請求の範囲】
【請求項１】
２種類以上の電池を収納可能にした電池収納部を有した装置において、形状、又は、容積が異なる２種類以上の電池のうちの容積が大きい電池、又は、容積が小さい電池を収納可能にした電池収納部と、上記電池収納部に上記容積が小さい電池を装填したときに形成される隙間と、上記隙間に装填する電池アダプタとからなることを特徴とする電池を収納する装置。
【請求項２】
請求項１に記載の電池を収納する装置において、電池収納部は、信号又は電源と接続する端子を有することを特徴とする電池を収納する装置。
【請求項３】
請求項２に記載の電池を収納する装置において、端子は、隙間の側面に配置したことを特徴とする電池を収納する装置。
【請求項４】
請求項１、２又３に記載の電池を収納する装置において、電池アダプタは、容積が小さい電池と一体にした状態で電池収納部に挿入することを特徴とする電池を収納する装置。
【請求項５】
請求項１、２、３又４に記載の電池を収納する装置において、電池アダプタは、一個、又は、複数個の記録媒体からなることを特徴とする電池を収納する装置。
【請求項６】
請求項５に記載の電池を収納する装置において、記録媒体は、メモリーカードであることを特徴とする電池を収納する装置。
【請求項７】
請求項６に記載の電池を収納する装置において、電池アダプタは、記録媒体を収納する一個、又は、複数個の記録体収納部を備えることを特徴とする電池を収納する装置。
【請求項８】
請求項１、２、３、４、５、６又７に記載の電池を収納する装置において、電池アダプタは、信号と接続する信号端子を有することを特徴とする電池を収納する装置。
【請求項９】
請求項１又は４に記載の電池を収納する装置において、電池アダプタは、遠隔操作するリモートコントローラからなることを特徴とする電池を収納する装置。
【請求項１０】
請求項１、４又９に記載の電池を収納する装置において、電池アダプタは、リモートコントローラを保持するリモートコントローラ保持部を有することを特徴とする電池を収納する装置。
【請求項１１】
請求項１、２又３に記載の電池を収納する装置において、電池アダプタは、円筒型電池を取り付けて保持する円筒型電池取り付け部を備えることを特徴とする電池を収納する装置。
【請求項１２】
請求項１１に記載の電池を収納する装置において、円筒型電池取り付け部は、円筒型電池の出し入れを案内する一個又は複数個の円筒形状部を有する案内保持部からなることを特徴とする電池を収納する装置。
【請求項１３】
請求項１、２、３、１１又１２に記載の電池を収納する装置において、電池アダプタは、電源と接続する電源端子からなることを特徴とする電池を収納する装置。
【請求項１４】
請求項１、２、３、１１、１２又１３に記載の電池を収納する装置において、電池アダプタは、電池収納部での円筒型電池を案内する電池案内部を備えることを特徴とする電池を収納する装置。
【請求項１５】
請求項１乃至１４の何れか一項に記載の電池を収納する装置において、記録する撮影画像を結像する撮影レンズと、上記撮影レンズを保持、又は、格納して電池の電力を使用して撮影画像データを記録するカメラ本体とを備えたことを特徴とする電池を収納する装置。
【請求項１６】
請求項１５に記載の電池を収納する装置において、記録媒体は、撮影画像データを記録して保持することを特徴とする電池を収納する装置。
【発明の詳細な説明】
【０００１】
【発明の属する技術分野】
本発明は、電池を収納する装置に関し、詳しくは、２種類以上の電池を収納可能にした撮影画像データを記録するデジタルカメラ等の電池を収納する装置に関する。
【０００２】
【従来の技術】
従来の電池を収納する装置には、電子スマートカードの携帯ケース（例えば、特許文献１参照）、ＣＤ−ＲＯＭ駆動装置を内蔵する携帯型情報処理装置（例えば、特許文献２参照）、ターゲットライト等を電子装備した防水カメラケース（例えば、特許文献３参照）、電子媒体テープの内容をログするための装置（例えば、特許文献４参照）、音声メッセージを出力するワンタッチドアロック装置（例えば、特許文献５参照）等、いろいろな装置が公知である。
更に、２種類以上の電池を収納可能にしたカメラにおいては、形状、又は、容積が異なる２種類以上の電力を与える電池を収納可能な電池収納部に、容積が小さい電池を装填すると、隙間が形成されるという不具合があった。
然し、このような、形状、又は、容積が異なる２種類以上の電池を収納可能な電池収納部に、容積が小さい電池を装填した場合に形成される隙間は、積極的に、且つ、有効的に活用されることがなかった。
他方、一般に、予備用のメモリーカード等の記録媒体を、例えば、デジタルカメラの装置本体とは別に、保管、運搬することが多い。このために、予備用のメモリーカード等の記録媒体を収納可能なケース等が市販されて使用されている。
この場合、予備用のメモリーカード等の記録媒体は、装置本体とは別に、使用者の各人のカバンや着衣のポケット等に入れて保管、運搬されていて、必要な時に使用できなかったり、紛失したり、落として破損する場合があった。
このように、予備用のメモリーカード等の記録媒体は、安全に保管されていない場合があった。
このような、予備用のメモリーカード等の記録媒体を収納可能なケース等とは別に、例えば、デジタルカメラの記憶媒体を本体内で安全に保管し、その交換を容易、安全かつ速やかに行えるように、予備用のメモリーカード等の記憶媒体を収納する収納室を本体に設けたデジタルカメラも公知である（例えば、特許文献６の実用新案登録第３０８７３８８号の公報を参照）。
【０００３】
然し、予備用のメモリーカード等の記録媒体が不要な場合においても、予備用のメモリーカード等の記録媒体の収納スペースは維持され、使用者の利点がなく、装置本体が大型になると言う欠点があった。
更に、形状、又は、容積が異なる２種類以上の電池を収納可能にした装置の電池保持機構は、それぞれの電池を保持するための切り替える機構が必要となっていて、それぞれの電池を保持するための切り替える機構が必要となり複雑な機構になっていた。
従って、従来の電池を収納する装置においては、形状、又は、容積が異なる２種類以上の電池を収納可能にした電池収納部に容積が小さい電池を装填して形成される隙間が積極的に且つ有効に活用されることがなく、予備用のメモリーカード等の記録媒体の安全な保管に不必要な収納スペースが維持されて大型になり、それぞれの電池を保持するための切り替える機構が必要となり複雑な機構になる等と言う不具合が生じていた。
【特許文献１】特開平６−１８７５１７号公報
【特許文献２】特開平８−９５６６８号公報
【特許文献３】特開平９−８０６２３号公報
【特許文献４】特許第２５７５２５４号
【特許文献５】特開平１０−１５９４１３号公報
【特許文献６】実用新案登録第３０８７３８８号
【０００４】
【発明が解決しようとする課題】
従来の電池を収納する装置においては、形状、又は、容積が異なる２種類以上の電池を収納可能にした電池収納部に容積が小さい電池を装填して形成される隙間が積極的に且つ有効に活用されることがなく、予備用のメモリーカード等の記録媒体の安全な保管に不必要な収納スペースが維持されて大型になり、それぞれの電池を保持するための切り替える機構が必要となり複雑な機構になる等と言う問題が発生していた。
そこで本発明の課題は、このような問題点を解決するものである。即ち、容積が異なる２種類以上の電池を収納可能にした電池収納部に容積が小さい電池を装填して形成される隙間を積極的に且つ有効に活用して、記録媒体等を省スペースで安全に保管すると共にそれぞれの電池を保持するための切り替える機構が簡素で操作性が向上する電池を収納する装置を提供することを目的とする。
【０００５】
【課題を解決するための手段】
上記目的を達成するために、請求項１の本発明は、２種類以上の電池を収納可能にした電池を収納する装置において、形状、又は、容積が異なる２種類以上の電池の容積が大きい電池、又は、容積が小さい電池を収納可能にした電池収納部と、上記電池収納部に上記容積が小さい電池を装填して形成される隙間と、上記隙間に装填する電池アダプタとからなる電池を収納する装置であることを最も主要な特徴とする。
請求項２の本発明は、請求項１に記載の電池を収納する装置において、電池収納部は、信号又は電源と接続する端子を有する電池を収納する装置であることを主要な特徴とする。
請求項３の本発明は、請求項２に記載の電池を収納する装置において、端子は、隙間の側面に配置した電池を収納する装置であることを主要な特徴とする。
請求項４の本発明は、請求項１、２又３に記載の電池を収納する装置において、電池アダプタは、容積が小さい電池と一体にした状態で電池収納部に挿入する電池を収納する装置であることを主要な特徴とする。
請求項５の本発明は、請求項１、２、３又４に記載の電池を収納する装置において、電池アダプタは、一個、又は、複数個の記録媒体からなる電池を収納する装置であることを主要な特徴とする。
請求項６の本発明は、請求項５に記載の電池を収納する装置において、記録媒体は、メモリーカードである電池を収納する装置であることを主要な特徴とする。
請求項７の本発明は、請求項６に記載の電池を収納する装置において、電池アダプタは、記録媒体を収納する一個、又は、複数個の記録体収納部からなる電池を収納する装置であることを主要な特徴とする。
請求項８の本発明は、請求項１、２、３、４、５、６又７に記載の電池を収納する装置において、電池アダプタは、信号と接続する信号端子を有する電池を収納する装置であることを主要な特徴とする。
請求項９の本発明は、請求項１又は４に記載の電池を収納する装置において、電池アダプタは、遠隔操作するリモートコントローラからなる電池を収納する装置であることを主要な特徴とする。
【０００６】
請求項１０の本発明は、請求項１、４又９に記載の電池を収納する装置において、電池アダプタは、リモートコントローラを保持するリモートコントローラ保持部を有する電池を収納する装置であることを主要な特徴とする。
請求項１１の本発明は、請求項１、２又３に記載の電池を収納する装置において、電池アダプタは、円筒型電池を取り付けて保持する円筒型電池取り付け部からなる電池を収納する装置であることを主要な特徴とする。
請求項１２の本発明は、請求項１１に記載の電池を収納する装置において、円筒型電池取り付け部は、円筒型電池の出し入れを案内する一個又は複数個の円筒形状部を有する案内保持部からなる電池を収納する装置であることを主要な特徴とする。
請求項１３の本発明は、請求項１、２、３、１１又１２に記載の電池を収納する装置において、電池アダプタは、電源と接続する電源端子からなる電池を収納する装置であることを主要な特徴とする。
請求項１４の本発明は、請求項１、２、３、１１、１２又１３に記載の電池を収納する装置において、電池アダプタは、電池収納部での円筒型電池を案内する電池案内部からなる電池を収納する装置であることを主要な特徴とする。
請求項１５の本発明は、請求項１乃至１４の何れか一項に記載の電池を収納する装置において、記録する撮影画像を結像する撮影レンズと、上記撮影レンズを保持、又は、格納して電池の電力を使用して撮影画像データを記録するカメラ本体とからなる電池を収納する装置であることを主要な特徴とする。
請求項１６の本発明は、請求項１５に記載の電池を収納する装置において、記録媒体は、撮影画像データを記録して保持する電池を収納する装置であることを主要な特徴とする。
【０００７】
【発明の実施の形態】
次に、本発明の実施の形態は、図面を参照して詳細に説明する。
図１と図２において、２種類以上の電池を収納可能な電池収納部を有する装置０のカメラ０ａは、形状、又は、容積が異なる２種類以上の容積が大きい電池１ａ、又は、容積が小さい電池１ｂを収納可能にした電池収納部２と、上記電池収納部２に容積が小さい電池１ｂを装填したときに形成される隙間３と、上記隙間３に装填する電池アダプタ４とからなり、容積が異なる２種類以上の容積が大きい方の電池１ａ、又は、容積が小さい方の電池１ｂを収納可能にした上記電池収納部２に容積が小さい電池１ｂを装填して形成される上記隙間３を積極的に且つ有効に活用するようになっている。
上記電池収納部２には、容積が違う２種類の上記電池１のうち上記容積の小さい電池１ｂと上記電池アダプタ４は、共に、挿入して装填されるようになっている（図１を参照）。
上記電池アダプタ４は、上記電池収納部２内に上記容積の小さい電池１ｂが挿入されて装填した状態で、上記隙間３を埋める形状、サイズになっており、上記容積の小さい電池１ｂの動きを止めて、上記隙間３を積極的に、且つ、有効に活用すると、共に、上記電池収納部２内に挿入される上記容積の小さい電池１ｂを確実に固定する効果も与えられている。
電池収納部２には、容積が違う２種類の電池１のうち上記容積の大きい電池１ａは単独で挿入して装填される（図２を参照）。従って、隙間３は形成されず、電池アダプタ４を挿入する余地はない。
【０００８】
図３において、２種類以上の電池を収納可能にした上記電池を収納する装置０の上記カメラ０ａは、記録する撮影画像データを結像する撮影レンズ８と、上記撮影レンズ８を保持、又は、格納して容積が大きい電池１ａ、又は、容積が小さい電池１ｂの電力を使用して撮影画像データを記録するカメラ本体９とからなり、上記電池収納部２に、図示の矢印（Ａ）方向に挿入される上記電池アダプタ４に一体的に形成した記録体収納部４ａの記録体収納部４ａ１と記録体収納部４ａ２においては、被収納体である記録媒体５の予備のメモリーカード５ａのメモリーカード５ａ１とメモリーカード５ａ２を簡単な構成で保持して、蓋部材４ａ３の蓋４ａ３１と蓋４ａ３２を図示の矢印（Ｂ）方向に回動して覆って閉じるようになっていて、確実に保持されて落下等を防止するようになっているから、上記記録媒体５の上記メモリーカード５ａの上記メモリーカード５ａ１と上記メモリーカード５ａ２を安全に保管することが出来るようになっている。
尚、図示のように、上記電池アダプタ４を上記電池収納部２内から取り出して、被収納体である上記記録媒体５の予備の上記メモリーカード５ａの上記メモリーカード５ａ１と上記メモリーカード５ａ２を着脱可能に、又は、図示しないが、上記電池収納蓋７側に、上記記録媒体５の上記メモリーカード５ａの上記メモリーカード５ａ１と上記メモリーカード５ａ２を抜き差しが出来る構造にすることも可能である。
記録体収納部４ａ１と記録体収納部４ａ２に、被収納体である予備のメモリーカード５ａの上記メモリーカード５ａ１と上記メモリーカード５ａ２を挿入して確実に保持した後に、上記電池収納部２内に図示しない上記容積の小さい電池１ｂと、共に、上記電池アダプタ４を上記隙間３に上記電池収納部２の片面に寄った状態で挿入して装填した後に、電池収納蓋７を図示の矢印（Ｃ）方向に回動して閉じて、上記電池を収納する装置０の上記カメラ０ａは使用することが出来るようになる。
記録体収納部４ａ１と記録体収納部４ａ２に、被収納体である予備のメモリーカード５ａ１とメモリーカード５ａ２を挿入して確実に保持する電池アダプタ４の側面４ｇには、信号線と接続する信号端子４ｂを有している。
上記電池収納部２の上記隙間３の側面３ａには、上記信号端子４ｂに対応して、端子２ａの信号端子２ａ１を有して、信号を容易に接続するようになっている。
【０００９】
上記電池収納部２内に容積の小さい電池１ｂを挿入する場合、記録体収納部４ａ１と記録体収納部４ａ２に、被収納体であるメモリーカード５ａ１とメモリーカード５ａ２を有する上記電池アダプタ４を上記電池収納部２内に装着する。
この時、上記電池を収納する装置０の上記カメラ０ａとしては、上記記録媒体５の予備の上記メモリーカード５ａの上記メモリーカード５ａ１と上記メモリーカード５ａ２は、撮影画像データを記録する第２の記録媒体、撮影画像データを記録する第３の記録媒体として機能する。信号端子４ｂが、信号端子２ａ１と導通し、この導通によってメモリーカードがカメラ本体の電送部と電気的に接続されるからである。
従って、容積が異なる２種類以上の上記電池１を収納可能にした上記電池収納部２に上記容積が小さい電池１ｂを装填して形成される上記隙間３を積極的に且つ有効に活用して、被収納体である上記記録媒体５の予備の上記メモリーカード５ａの上記メモリーカード５ａ１と上記メモリーカード５ａ２を省スペースで安全に保管する上記電池を収納する装置０の上記カメラ０ａを提供することが出来るようになった。
なお、電池アダプタ４自体を記録媒体としてもよい。
２種類以上の電池を収納可能にした上記電池を収納する装置０の上記カメラ０ａは、上記電池アダプタ４と上記容積の小さい電池１ｂと組み合わせて使用する場合には、上記電池アダプタ４の電池取り付け部４ｄとしての容積が小さい電池取り付け部４ｄ１の引っ掛け部（弾性変形可能なクリップ部）によって、上記電池アダプタ４と上記容積の小さい電池１ｂとを一体にした状態で、上記電池収納部２に出し入れが出来るようになっている。
従って、容積が異なる２種類以上の電池１を収納可能にした電池収納部２に容積が小さい電池１ｂを装填して形成される隙間３を積極的に且つ有効に活用して、上記電池収納部２への出し入れ等の電池を保持するための切り替える機構が簡素で操作性が向上した上記電池を収納する装置０の上記カメラ０ａを提供することが出来るようになった。
【００１０】
図４において、上記電池を収納する装置０の上記カメラ０ａは、上記電池アダプタ４のリモートコントローラ保持部４ｃの引っ掛け部によって、撮影条件等を無線で遠隔操作するリモートコントローラ６を保持するようにして、上記電池収納部２に、図示の矢印（Ａ）方向に挿入して、安全に保管することも出来るようになっている（図３を参照）。
従って、容積が異なる２種類以上の上記電池１を収納可能にした上記電池収納部２に上記容積が小さい電池１ｂを装填して形成される上記隙間３を積極的に且つ有効に活用して、上記リモートコントローラ６を省スペースで安全に保管する上記電池を収納する装置０の上記カメラ０ａを提供することが出来るようになった。
【００１１】
図５において、上記電池を収納する装置０の上記カメラ０ａは、上記電池アダプタ４の上記電池取り付け部４ｄの円筒型電池取り付け部４ｄ２に、容積が小さい電池１ｂの代わりに円筒型電池１ｃの使用頻度の多い円筒形状の単３型電池、又は、単４型電池等を、例えば、図示のように３本を正確に保持するようにして、上記電池収納部２に、図示の矢印（Ａ）方向に挿入して安全に使用することも出来るようになっている（図３を参照）。
上記電池アダプタ４の側面（４ｇ）には、電源と接続する電源端子４ｅを有している。
上記電池収納部２の上記隙間３の上記側面３ａには、上記電源端子４ｅに対応して、上記端子２ａの電源端子２ａ２を有して、電源を容易に接続するようになっている（図３を参照）。
従って、上記円筒型電池１ｃの使用頻度の多い円筒形状の単３型電池、又は、単４型電池等の電源用の端子を上記カメラ本体９側が備えなくても、上記円筒型電池１ｃの使用頻度の多い円筒形状の単３型電池、又は、単４型電池等が使用可能となる。
上記電池アダプタ４は、上記電池収納部２内での、上記電池１の上記円筒型電池１ｃの使用頻度の多い円筒形状の単３型電池、又は、単４型電池等を案内する電池案内部４ｆが設けられている。
更に、上記円筒型電池取り付け部４ｄ２内には、上記円筒型電池１ｃの使用頻度の多い円筒形状の単３型電池、又は、単４型電池等の出し入れを案内する一個、又は、複数個の円筒形状部を有する案内保持部４ｄ２１が設けられている。
従って、上記円筒型電池１ｃの使用頻度の多い円筒形状の単３型電池、又は、単４型電池等が、上記電池収納部２に、図示の矢印（Ａ）方向に挿入して、正確な位置に保持されて安全に使用することも出来る上記電池を収納する装置０の上記カメラ０ａを提供することが出来るようになった。
【００１２】
【発明の効果】
本発明は、以上説明したように構成されているので、請求項１の発明によれば、容積が異なる２種類以上の電池の容積が大きい電池、又は、容積が小さい電池を収納可能にした電池収納部に容積が小さい電池を装填して形成される隙間を積極的に且つ有効に活用する電池を収納する装置を提供することが出来るようになった。
請求項２の発明によれば、容積が異なる２種類以上の電池の容積が大きい電池、又は、容積が小さい電池を収納可能にした電池収納部に容積が小さい電池を装填して形成される隙間を積極的に且つ有効に活用すると共に信号又は電源を容易に接続する電池を収納する装置を提供することが出来るようになった。
請求項３の発明によれば、容積が異なる２種類以上の電池の容積が大きい電池、又は、容積が小さい電池を収納可能にした電池収納部に容積が小さい電池を装填して形成される隙間を積極的に且つ有効に活用すると共に隙間の側面で信号又は電源を容易に接続する電池を収納する装置を提供することが出来るようになった。
請求項４の発明によれば、容積が異なる２種類以上の電池の容積が大きい電池、又は、容積が小さい電池を収納可能にした電池収納部に容積が小さい電池を装填して形成される隙間を積極的に且つ有効に活用して、電池収納部への出し入れ等の電池を保持するための切り替える機構が簡素で操作性が向上した電池を収納する装置を提供することが出来るようになった。
請求項５の発明によれば、容積が異なる２種類以上の電池の容積が大きい電池、又は、容積が小さい電池を収納可能にした電池収納部に容積が小さい電池を装填して形成される隙間を積極的に且つ有効に活用して、記録媒体を省スペースで保管する電池を収納する装置を提供することが出来るようになった。
請求項６の発明によれば、容積が異なる２種類以上の電池の容積が大きい電池、又は、容積が小さい電池を収納可能にした電池収納部に容積が小さい電池を装填して形成される隙間を積極的に且つ有効に活用して、記録媒体のメモリーカードを省スペースで保管する電池を収納する装置を提供することが出来るようになった。
【００１３】
請求項７の発明によれば、容積が異なる２種類以上の電池の容積が大きい電池、又は、容積が小さい電池を収納可能にした電池収納部に容積が小さい電池を装填して形成される隙間を積極的に且つ有効に活用して、記録媒体の一個、又は、複数個のメモリーカードを省スペースで安全に保管する電池を収納する装置を提供することが出来るようになった。
請求項８の発明によれば、容積が異なる２種類以上の電池の容積が大きい電池、又は、容積が小さい電池を収納可能にした電池収納部に容積が小さい電池を装填して形成される隙間を積極的に且つ有効に活用すると共に信号を容易に接続する電池を収納する装置を提供することが出来るようになった。
請求項９の発明によれば、容積が異なる２種類以上の電池の容積が大きい電池、又は、容積が小さい電池を収納可能にした電池収納部に容積が小さい電池を装填して形成される隙間を積極的に且つ有効に活用して、リモートコントローラを省スペースで保管する電池を収納する装置を提供することが出来るようになった。
請求項１０の発明によれば、容積が異なる２種類以上の電池の容積が大きい電池、又は、容積が小さい電池を収納可能にした電池収納部に容積が小さい電池を装填して形成される隙間を積極的に且つ有効に活用して、リモートコントローラを省スペースで保持して保管する電池を収納する装置を提供することが出来るようになった。
請求項１１の発明によれば、容積が異なる２種類以上の電池の容積が大きい電池、又は、容積が小さい電池を収納可能にした電池収納部に容積が小さい電池を装填して形成される隙間を積極的に且つ有効に活用して、円筒型電池を取り付けて保持する省スペースで使用する電池を収納する装置を提供することが出来るようになった。
請求項１２の発明によれば、容積が異なる２種類以上の電池の容積が大きい電池、又は、容積が小さい電池を収納可能にした電池収納部に容積が小さい電池を装填して形成される隙間を積極的に且つ有効に活用して、円筒型電池を取り付けて保持する省スペースで安全に使用する電池を収納する装置を提供することが出来るようになった。
【００１４】
請求項１３の発明によれば、容積が異なる２種類以上の電池の容積が大きい電池、又は、容積が小さい電池を収納可能にした電池収納部に容積が小さい電池を装填して形成される隙間を積極的に且つ有効に活用すると共に電源を容易に接続する電池を収納する装置を提供することが出来るようになった。
請求項１４の発明によれば、容積が異なる２種類以上の電池の容積が大きい電池、又は、容積が小さい電池を収納可能にした電池収納部に容積が小さい電池を装填して形成される隙間を積極的に且つ有効に活用して、円筒型電池を正確な位置に取り付けて保持する省スペースで安全に使用する電池を収納する装置を提供することが出来るようになった。
請求項１５の発明によれば、容積が異なる２種類以上の電池の容積が大きい電池、又は、容積が小さい電池を収納可能にした電池収納部に容積が小さい電池を装填して形成される隙間を積極的に且つ有効に活用する電池を収納する装置のカメラを提供することが出来るようになった。
請求項１６の発明によれば、容積が異なる２種類以上の電池の容積が大きい電池、又は、容積が小さい電池を収納可能にした電池収納部に容積が小さい電池を装填して形成される隙間を積極的に且つ有効に活用して、撮影画像データを記録して保持するする記録媒体を省スペースで保管する電池を収納する装置のカメラを提供することが出来るようになった。
【図面の簡単な説明】
【図１】本発明の実施の形態例を示す電池を収納する装置の主要部の状態を説明する斜視図である。
【図２】本発明の実施の形態例を示す電池を収納する装置の主要部の他の状態を説明する斜視図である。
【図３】本発明の他の実施の形態例を示す電池を収納する装置の主要部の状態を説明する斜視図である。
【図４】本発明の他の実施の形態例を示す電池を収納する装置の主要部を説明する斜視図である。
【図５】本発明の他の実施の形態例を示す電池を収納する装置の主要部を説明する斜視図である。
【符号の説明】
０  電池を収納する装置、
０ａ  カメラ
１  電池、
１ａ  容積が大きい電池、
１ｂ  容積が小さい電池、
１ｃ  円筒型電池
２  電池収納部、
２ａ  端子、
２ａ１  信号端子、
２ａ２  電源端子
３  隙間、
３ａ  側面
４  電池アダプタ、
４ａ  記録体収納部、
４ａ１  記録体収納部、
４ａ２  記録体収納部、
４ａ３  蓋部材、
４ａ３１  蓋、
４ａ３２  蓋、
４ｂ  信号端子、
４ｃ  リモートコントローラ保持部、
４ｄ  電池取り付け部、
４ｄ１  容積が小さい電池取り付け部、
４ｄ２  円筒型電池取り付け部、
４ｄ２１  案内保持部、
４ｅ  電源端子、
４ｆ  電池案内部、
４ｇ  側面
５  記録媒体、
５ａ  メモリーカード、
５ａ１  メモリーカード、
５ａ２  メモリーカード
６  リモートコントローラ
７  電池収納蓋
８  撮影レンズ
９  カメラ本体
【図１】
2005005212.tif 000003
【図２】
2005005212.tif 000004
【図３】
2005005212.tif 000005
【図４】
2005005212.tif 000006
【図５】
2005005212.tif 000007